(57)【特許請求の範囲】
【請求項１】
外扉に装着され、かつ、背面側に外扉にねじ固定するための楕円形状のハンドルケース、このハンドルケースに組み込まれ、かつ、前記ハンドルケースに格納された格納位置と前記ハンドルケースから突出した突出位置との間を移動可能な操作ハンドル、および前記操作ハンドルの枢軸部に嵌め込み固定されたキーシリンダーとからなる自動販売機のハンドルロック装置であって、前記操作ハンドルはキーシリンダーが嵌め込み固定された軸状部に外周方向に出没可能な閂を有し、キーシリンダーの施錠により前記閂が突出してハンドルケースの格納位置に拘束保持される一方、キーシリンダーの解錠により前記閂が没入してハンドルケースの格納位置への拘束が解除されて突出位置に突出するようにした自動販売機のハンドルロック装置において、前記ハンドルケースとは別個に設けられ、締結孔が穿たれ、前記ハンドルケースに固着した取付金具を有することを特徴とする自動販売機のハンドルロック装置。
【請求項２】
請求項１記載の自動販売機のハンドルロック装置において、取付金具はハンドルケースに固着される基部と締結孔が穿たれた取付座部を有する薄板板金からなり、前記取付座部が外扉にねじ固定される高さに折り曲げて形成されてなることを特徴とする自動販売機のハンドルロック装置。
【請求項３】
請求項１記載の自動販売機のハンドルロック装置において、ハンドルケースは外扉の表面に露出する鍔部と、この鍔部から背面側に突出するとともに中空の内壁に操作ハンドルの閂と係合する閂係止溝を有する筒状部とからなり、取付金具にはハンドルケースの筒状部における閂係止溝の前方域の外周面に係合する舌片状の係合片が追加装備されてなることを特徴とする自動販売機のハンドルロック装置。
【請求項４】
請求項３記載の自動販売機のハンドルロック装置において、取付金具は薄板板金からなり、少なくとも係合片を焼入れして閂保護部としたことを特徴とする自動販売機のハンドルロック装置。
【請求項５】
請求項３記載の自動販売機のハンドルロック装置において、取付金具はステンレス製であることを特徴とする自動販売機のハンドルロック装置。
【請求項６】
請求項４または請求項５記載の自動販売機のハンドルロック装置において、取付金具にはさらに取付座部に螺合するねじの前方域を遮蔽する保護片が追加装備されてなることを特徴とする自動販売機のハンドルロック装置。
【請求項７】
請求項１ないし請求項６のいずれかに記載の自動販売機のハンドルロック装置において、ハンドルケースの長手方向に沿った複数段個所に固着される各取付金具はそれぞれ同一形状の取付金具を共用してなることを特徴とする自動販売機のハンドルロック装置。
【請求項８】
請求項１記載の自動販売機のハンドルロック装置において、取付金具は焼入れされた薄板板金若しくはステンレス製になり、複数段に跨る基部と複数段に応じた締結孔が穿たれた取付座部を一体に形成してなることを特徴とする自動販売機のハンドルロック装置。
【請求項９】
請求項１記載の自動販売機のハンドルロック装置において、取付金具は焼入れされた薄板板金若しくはステンレス製になり、複数段に跨る基部と複数段に応じた締結孔が穿たれた取付座部の全てを一体に形成するとともにハンドルケースの長手方向に二分してなることを特徴とする自動販売機のハンドルロック装置。
【請求項１０】
請求項１記載の自動販売機のハンドルロック装置において、取付金具は複数段に跨る基部と複数段に応じた締結孔が穿たれた取付座部の全てを一体に形成してなることを特徴とする自動販売機のハンドルロック装置。
【請求項１１】
請求項１記載の自動販売機のハンドルロック装置において、ハンドルケースは外扉の表面に露出する鍔部と、この鍔部から背面側に突出するとともに中空の内壁に操作ハンドルの閂と係合する閂係止溝を有する筒状部とからなり、取付金具は複数段に跨る基部と複数段に応じた締結孔が穿たれた取付座部の全てを一体に形成してなるとともに前記筒状部を挟持する補強片を備えてなることを特徴とする自動販売機のハンドルロック装置。
【請求項１２】
請求項１記載の自動販売機のハンドルロック装置において、操作ハンドルはその後端部に操作用レバーが固定された内筒を備え、取付金具は複数段に跨る基部と複数段に応じた締結孔が穿たれた取付座部の全てを一体に形成してなるとともに前記操作用レバーの投影面内に位置して当該操作用レバーがハンドルケースの面に平行な状態から傾くのを阻止するストッパを備えてなることを特徴とする自動販売機のハンドルロック装置。
【発明の詳細な説明】
【技術分野】
【０００１】
この発明は、自動販売機における本体キャビネットの前面を開閉する外扉に装備された操作ハンドルに適用されるハンドルロック装置に関する。
【背景技術】
【０００２】
この種の従来の自動販売機について図１０を用いて説明する。図１０は一般的な缶入り飲料，ペットボトル入り飲料を販売する自動販売機の正面図である。図に示すように、この自動販売機は、前面が開放した断熱筐体として形成された本体キャビネット１０と、本体キャビネット１０の前面にヒンジにより開閉可能に支持された外扉２０とからなる。断熱筐体として形成された本体キャビネット１０の庫内には商品を横倒し状態で収納するとともに下端部に商品搬出装置を有する商品ラックが収設されるとともに、前記商品ラックの下部には商品搬出装置により切り出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。
【０００３】
前記外扉２０の前面の上部域は透明板３０で覆われ、この透明板３０と外扉２０に開閉可能に支持された中扉４０との間の空間がディスプレイ室５０として形成されている。前記中扉４０の前面には、本体キャビネット１０の庫内に収納した商品に対応した複数の商品見本７０を左右に一列に並べて載置したディスプレイ台６０が上下方向に３段並べて取付けられている。前記透明板３０には、各ディスプレイ台６０と対峙する位置に商品選択ボタンユニット８０が設けられ、商品選択ボタンユニット８０は、ディスプレイ台６０に載置された各商品見本７０に対応して左右に一列に並べて設けた商品選択ボタン（不図示）を有している。また、外扉２０の前面には、硬貨投入口２０１、紙幣挿入口２０２、硬貨返却口２０３、返却レバー２０４、商品取出口２０５およびハンドルロック装置９０などが設けられている。
【０００４】
前記本体キャビネット１０と外扉２０との間には不図示のフック金具と上下にスライド移動可能なスライダとからなるロック機構が設けられている。フック金具は本体キャビネット１０の前面開口端部に設けられる一方、スライダは外扉２０に上下方向にスライド移動自在に配設されており、本体キャビネット１０に設けたフック金具に外扉２０に設けたスライダを係合・離脱させることにより外扉をロック・アンロックするように構成されている。
【０００５】
前記スライダをフック金具に係合・離脱させるハンドルロック装置９０を図１１に示し、図１１（ａ）は扉用ハンドルロック装置を正面側右斜め前方より見た斜視図、（ｂ）はハンドルケースから操作ハンドルを取り外したハンドルケースを正面側から見た斜視図、（ｃ）は（ｂ）のハンドルケースを背面側から見た斜視図であり、次に図１１を用いて従来のハンドルロック装置を説明する。
【０００６】
図１１に示したハンドルロック装置は、外扉に装着されるハンドルケース１と、このハンドルケース１に組み込まれた操作ハンドル２と、この操作ハンドル２の枢軸部に嵌め込み固定されたキーシリンダー３とを備えている。前記ハンドルケース１は外扉の前面に露出する上下方向に長い略楕円状に形成された鍔部１１と、この鍔部１１から背面側に突出するとともに鍔部１１の長軸方向（上下方向）に長い矩形状の胴部１２と、前記鍔部１１と前記胴部１２を貫通する軸挿通穴を有する筒状部１３とを一体に形成した亜鉛ダイカストなどによる鋳物成形品である。前記鍔部１１の表面には操作ハンドル格納用の凹所（窪み）１１１が設けられ、当該凹部１１１の内部には、例えば操作ハンドル２の状態を検知するマイクロスイッチなどの検知スイッチ（不図示）の係止孔１１２が設けられている。前記胴部１２の矩形四隅とその上下方向中間部の左右端部にそれぞれタップにより機械加工された取付孔１２１が設けられている。前記筒状部１３の内壁には１８０度間隔で中心線に平行な一対の閂係止溝１３１，１３１が形成されている。この閂係止溝１３１，１３１は前記筒状部１３の内壁の前後方向の所定領域から筒状部背面端部に開口する凹溝として形成されている。また、前記筒状部１３には後述する内筒が回転可能で、かつ、前後方向への移動が不能に装着されるものである。なお、図では閂係止溝１３１，１３１が左右に配置されたものを示しているが、上下に配置されたものもある。
【０００７】
前記操作ハンドル２は枢軸部から下方に延在する操作レバー２１と、枢軸部にキーシリンダー３が嵌め込み固定された軸状部２２とを一体に形成した亜鉛ダイカストなどによる鋳物成形品である。前記操作レバー２１の背面にはハンドルケース１の鍔部１１における操作ハンドル格納用の凹所１１１の内部に設けた係止孔１１２に係合・離脱可能な突部（不図示）が形成されている。前記軸状部２２は前記ハンドルケース１の筒状部１３に装着された内筒２３内に相対回転不能で、かつ、前後方向にスライド移動自在に遊嵌され、内筒２３の背面側に配設したばねにより前方に向けて付勢されている。また、軸状部２２には外周面から出没自在で、かつ、外方向に向けてばね付勢された一対の閂が設けられている。この閂はキーシリンダー３のキー溝３１に挿入されるキーの回転操作により回転するロータを介して没入するように構成されている。なお、内筒２３の後端部には外扉に設けられたスライダに係合する釈放用レバーが固着され、また、閂が貫通する穴が形成されている。
【０００８】
前記ハンドルロック装置９０は外扉２０（図１０参照）に開口したハンドルケース１の胴部１２が貫通可能な取付孔を介して外扉２０の前面側から装着される。外扉２０の背面には、ハンドルケース１の鍔部１１が外扉２０の板面に当接した状態でハンドルケース１の胴部１２に形成した取付孔１２１に対峙する位置にそれぞれねじ挿通孔を備えたハンドルロック取付金具が配設されており、このハンドルロック取付金具を介してハンドルケース１がねじにより外扉２０に固着される（例えば、特許文献１の図１１）。
【０００９】
かかる構成において、前記外扉２０のスライダを本体キャビネット１０のフック金具に係合させてロック機構をロックした状態ではハンドルロック装置９０の操作ハンドル２がハンドルケース１に押し込まれ、操作ハンドル２の軸状部２２に設けた一対の閂が内筒２３を介してハンドルケース１０の筒状部１３に形成した一対の閂係止溝１３１，１３１に係合し、かつ、前記内筒２３の背面に配設されたばねにより当該閂係止溝１３１，１３１の前方側側壁に当接して前方に向けて押圧付勢されており、キーシルンダー３の施錠により操作ハンドル２はハンドルケース１の格納位置に拘束保持されている。この場合、操作ハンドル２の操作レバー２１がハンドルケース１の鍔部１１に設けた凹所１１１の中に没入して操作レバー２１が係止されるとともに操作レバー２１の背面に設けた突部が凹所１１１に設けた係止孔１１２に係止された検知スイッチのアクチュエータを押圧する。
【００１０】
前記本体キャビネット１０のフック金具から前記外扉２０のスライダを離脱させてロック機構をアンロック状態とする場合、キーシリンダー３のキー溝３１にキーを差し込んで時計方向に９０度回転操作すると、キーシリンダー３のロータの回転により操作ハンドル２の軸状部２２に設けた一対の閂が操作ハンドル２の軸状部２２に没入してハンドルケース１０の筒状部１３に形成した一対の閂係止溝１３１，１３１との係合作用が解除される。これにより内筒２３の背面に配設されたばねによって操作ハンドル２が前方の突出位置に突出するので、ハンドルケース１の凹所１１１から抜け出した操作レバー２１に手を掛けて反時計方向に９０度回転操作すると、外扉２０のスライダが上方にスライド移動して本体キャビネット１０のフック金具との係合が解かれてロック機構がアンロック状態となる。この状態で操作レバー２１を手前に引くと外扉２０が開放する。
【００１１】
ところで、ハンドルロック装置９０を構成するハンドルケース１や操作ハンドル２が亜鉛ダイカストなどによる鋳物成形品であることから比較的柔らかい。このため、ハンドルロック装置９０をドリルなどで破壊して機内から貨幣を盗む盗難被害が発生している。この場合、操作ハンドル２の軸状部２２の外周面から突出してハンドルケース１の筒状部１３に形成した閂係止溝１３１，１３１に係合した閂が破壊されると操作ハンドル２がハンドルケース１から前方に突出して外扉２０を開放する手掛かりとなることから、前記閂の破壊を防止する閂防止手段を設けたものが知られている（例えば、特許文献１）。この特許文献１に開示された閂防止手段は、閂の前方に球状のボール若しくは焼入れ処理された三角形状の頂点が前方を向くように形成された突起部材を設けてドリルの直進を防止するようにしたものである。
【先行技術文献】
【特許文献】
【００１２】
【特許文献１】特許第３２１９７３８号公報
【発明の概要】
【発明が解決しようとする課題】
【００１３】
ところで、図１１に示した従来のハンドルロック装置９０におけるハンドルケース１は、亜鉛ダイカストなどにより鍔部１１，胴部１２および筒状部１３を鋳物成形品として一体に形成したうえで、タップによる機械加工によって胴部１２に複数の取付孔１２１を形成せねばならないが、前記取付孔１２１はねじを締め付けることができるように深く形成せねばならないので煩雑である。また、胴部１２の役割は取付孔１２１の形成のためであり、取付孔１２１が位置する箇所を除く領域については機能しないことから、図１１の（ｃ）に示すように、上下方向に矩形の胴部１２の下方領域を中空として材料の節減を図っている。しかしながら、取付孔１２１を成立させるため、すなわち、取付孔１２１が位置する箇所の機械的強度を保つために当該取付孔１２１が位置する箇所を結ぶ周壁を必要とするので、コストの上昇は免れない。なお、矩形胴部１２の上方領域については中空に形成することもできるが、矢張り取付孔１２１が位置する箇所の機械的強度を保つために当該取付孔１２１が位置する箇所を結ぶ周壁を必要とする。
【００１４】
また、特許文献１に記載されたハンドルロック装置は、閂防止手段によってドリルの侵入を防止できる点で優れている。この特許文献１に記載されたハンドルロック装置は防犯対策が必要な自動販売機（例えば、屋外設置形）には有効である一方、防犯対策が不要な自動販売機（例えば、屋内設置形）に対してはコストアップの要因となる。そのため、例えば屋内設置の自動販売機用に閂防止手段が組み込まれていないハンドルロック装置を別途製造せねばならない。つまり、閂防止手段が組み込まれていないハンドルロック装置と閂防止手段が組み込まれたハンドルロック装置とを製造せねばならず鋳型の種類が増加するので製造コストが上昇して自動販売機の高価格化を惹起する。さらに、屋内設置形の自動販売機を設置後に防犯対策が必要となった場合、ハンドルロック装置自体を交換せねばならないという課題を有する。
【００１５】
そこで、本発明は上記の点に鑑みなされたものであり、その目的は前記課題を解決し、コストの低減を図ることが可能な自動販売機のハンドルロック装置を提供することにある。
【課題を解決するための手段】
【００１６】
上記目的を達成するため請求項１に係る自動販売機のハンドルロック装置は、外扉に装着され、かつ、背面側に外扉にねじ固定する楕円形状のハンドルケース、このハンドルケースに組み込まれ、かつ、前記ハンドルケースに格納された格納位置と前記ハンドルケースから突出した突出位置との間を移動可能な操作ハンドル、および前記操作ハンドルの枢軸部に嵌め込み固定されたキーシリンダーとからなる自動販売機のハンドルロック装置であって、前記操作ハンドルはキーシリンダーが嵌め込み固定された軸状部に外周方向に出没可能な閂を有し、キーシリンダーの施錠により前記閂が突出してハンドルケースの格納位置に拘束保持される一方、キーシリンダーの解錠により前記閂が没入してハンドルケースの格納位置への拘束が解除されて突出位置に突出するようにした自動販売機のハンドルロック装置において、前記ハンドルケースとは別個に設けられ、締結孔が穿たれ、前記ハンドルケースに固着した取付金具を有することを特徴とする。
【００１７】
また、請求項２に係る自動販売機のハンドルロック装置は、請求項１記載の自動販売機のハンドルロック装置において、取付金具はハンドルケースに固着される基部と締結孔が穿たれた取付座部を有する薄板板金からなり、前記取付座部が外扉にねじ固定される高さに折り曲げて形成されてなることを特徴とする。
【００１８】
また、請求項３に係る自動販売機のハンドルロック装置は、請求項１記載の自動販売機のハンドルロック装置において、ハンドルケースは外扉の表面に露出する鍔部と、この鍔部から背面側に突出するとともに中空の内壁に操作ハンドルの閂と係合する閂係止溝を有する筒状部とからなり、取付金具にはハンドルケースの筒状部における閂係止溝の前方域の外周面に係合する舌片状の係合片が追加装備されてなることを特徴とする。
【００１９】
また、請求項４に係る自動販売機のハンドルロック装置は、請求項３記載の自動販売機のハンドルロック装置において、取付金具は焼入れされた薄板板金からなり、係合片を閂保護部としたことを特徴とする。
【００２０】
また、請求項５に係る自動販売機のハンドルロック装置は、請求項３記載の自動販売機のハンドルロック装置において、取付金具はステンレス製であることを特徴とする。
【００２１】
また、請求項６に係る自動販売機のハンドルロック装置は、請求項４または請求項５記載の自動販売機のハンドルロック装置において、取付金具にはさらに取付座部に螺合するねじの前方域を遮蔽する保護片が追加装備されてなることを特徴とする。
【００２２】
また、請求項７に係る自動販売機のハンドルロック装置は、請求項１ないし請求項６のいずれかに記載の自動販売機のハンドルロック装置において、ハンドルケースの長手方向に沿った複数段個所に固着される各取付金具はそれぞれ同一形状の取付金具を共用してなることを特徴とする。
【００２３】
また、請求項８に係る自動販売機のハンドルロック装置は、請求項１記載の自動販売機のハンドルロック装置において、取付金具は焼入れされた薄板板金若しくはステンレス製になり、複数段に跨る基部と複数段に応じた締結孔が穿たれた取付座部を一体に形成してなることを特徴とする。
【００２４】
また、請求項９に係る自動販売機のハンドルロック装置は、請求項１記載の自動販売機のハンドルロック装置において、取付金具は焼入れされた薄板板金若しくはステンレス製になり、複数段に跨る基部と複数段に応じた締結孔が穿たれた取付座部の全てを一体に形成するとともにハンドルケースの長手方向に二分してなることを特徴とする。
【００２５】
さらに、請求項１０に係る自動販売機のハンドルロック装置は、請求項１記載の自動販売機のハンドルロック装置において、取付金具は複数段に跨る基部と複数段に応じた締結孔が穿たれた取付座部の全てを一体に形成してなることを特徴とする。
【００２６】
そしてまた、請求項１１に係る自動販売機のハンドルロック装置は、請求項１記載の自動販売機のハンドルロック装置において、ハンドルケースは外扉の表面に露出する鍔部と、この鍔部から背面側に突出するとともに中空の内壁に操作ハンドルの閂と係合する閂係止溝を有する筒状部とからなり、取付金具は複数段に跨る基部と複数段に応じた締結孔が穿たれた取付座部の全てを一体に形成してなるとともに前記筒状部を挟持する補強片を備えてなることを特徴とする。
【００２７】
加えて、請求項１２に係る自動販売機のハンドルロック装置は、請求項１記載の自動販売機のハンドルロック装置において、操作ハンドルはその後端部に操作用レバーが固定された内筒を備え、取付金具は複数段に跨る基部と複数段に応じた締結孔が穿たれた取付座部の全てを一体に形成してなるとともに前記操作用レバーの投影面内に位置して当該操作用レバーがハンドルケースの面に平行な姿勢から傾くのを阻止するストッパを備えてなることを特徴とする。
【発明の効果】
【００２８】
本発明の請求項１に係る自動販売機のハンドルロック装置によれば、外扉に装着され、かつ、背面側に外扉にねじ固定する楕円形状のハンドルケース、このハンドルケースに組み込まれ、かつ、前記ハンドルケースに格納された格納位置と前記ハンドルケースから突出した突出位置との間を移動可能な操作ハンドル、および前記操作ハンドルの枢軸部に嵌め込み固定されたキーシリンダーとからなる自動販売機のハンドルロック装置であって、前記操作ハンドルはキーシリンダーが嵌め込み固定された軸状部に外周方向に出没可能な閂を有し、キーシリンダーの施錠により前記閂が突出してハンドルケースの格納位置に拘束保持される一方、キーシリンダーの解錠により前記閂が没入してハンドルケースの格納位置への拘束が解除されて突出位置に突出するようにした自動販売機のハンドルロック装置において、前記ハンドルケースとは別個に設けられ、締結孔が穿たれ、前記ハンドルケースに固着した取付金具を有することにより、ハンドルケースに取付孔を形成するためにハンドルケースにダイカストにより一体に形成されていた胴部を削除することができるので、ハンドルケースの材料費を削減することができる。そのうえ、深い取付孔をタップする手間を無くすことができるので、ハンドルロック装置のコストを大幅に低減することが可能となる。
【００２９】
また、請求項２に係る自動販売機のハンドルロック装置は、請求項１記載の自動販売機のハンドルロック装置において、取付金具はハンドルケースに固着される基部と締結孔が穿たれた取付座部を有する薄板板金からなり、前記取付座部が外扉にねじ固定される高さに折り曲げて形成されてなることにより、既設の自動販売機に備えられたハンドルロック装置との互換性を有するので、既設の自動販売機のハンドルロック装置の保守部品として安価なハンドルロック装置を活用することができる。
【００３０】
また、請求項３に係る自動販売機のハンドルロック装置は、請求項１記載の自動販売機のハンドルロック装置において、ハンドルケースは外扉の表面に露出する鍔部と、この鍔部から背面側に突出するとともに中空の内壁に操作ハンドルの閂と係合する閂係止溝を有する筒状部とからなり、取付金具にはハンドルケースの筒状部における閂係止溝の前方域の外周面に係合する舌片状の係合片が追加装備されてなることにより、取付金具に追加装備した係合片が筒状部に係合することにより取付金具を位置決めすることができる。
【００３１】
また、薄板板金からなる取付金具の係合片を焼入れして閂保護部とすること（請求項４）、若しくは取付金具をステンレス製とすること（請求項５）によって、ハンドルケースの筒状部に係合した係合片が閂係止溝の前方域を遮蔽してドリルの侵入を防止する閂保護部として機能させることが可能となる。このため、防犯対策が不要な自動販売機（例えば、屋内設置形）に対しては取付金具を薄板板金製としてコストを抑える一方、防犯対策が必要な自動販売機（例えば、屋外設置形）に対しては取付金具を焼入れしてなる薄板板金、若しくはステンレス製として防犯を強化することができ、さらに、防犯対策が不要な自動販売機（例えば、屋内設置形）に防犯対策が必要となった場合にも取付金具のみを交換すれば対応することが可能となる。
【００３２】
また、請求項４または請求項５記載の自動販売機のハンドルロック装置において、取付金具にはさらに取付座部に螺合するねじの前方域を遮蔽する保護片を追加装備すること（請求項６）によって、取付座部に螺合するねじ、すなわち、ハンドルロック装置を外扉に固着するねじの前方域を遮蔽してドリルに侵入を防止することができる。
【００３３】
また、請求項７に係る自動販売機のハンドルロック装置は、請求項１ないし請求項６のいずれかに記載の自動販売機のハンドルロック装置において、ハンドルケースの長手方向に沿った複数段個所に固着される各取付金具はそれぞれ同一形状の取付金具を共用してなることにより、取付金具の種類を一種類とすることができる。
【００３４】
また、取付金具は焼入れされた薄板板金若しくはステンレス製になり、複数段に跨る基部と複数段に応じた締結孔が穿たれた取付座部を一体に形成（請求項８）、若しくは取付金具は焼入れされた薄板板金若しくはステンレス製になり、複数段に跨る基部と複数段に応じた締結孔が穿たれた取付座部の全てを一体に形成するとともにハンドルケースの長手方向に二分してなること（請求項９）により、複数段に跨る基部によって広い範囲に亘ってドリルの侵入を防止することができ、不測の事態（例えば、ドリルが斜めに侵入）を防止することができる。
【００３５】
そして、取付金具は複数段に跨る基部と複数段に応じた締結孔が穿たれた取付座部の全てを一体に形成してなること（請求項１０）により、ハンドルケースへの取付金具の組付けを容易に行うことができる。
【００３６】
そしてまた、ハンドルケースは外扉の表面に露出する鍔部と、この鍔部から背面側に突出するとともに中空の内壁に操作ハンドルの閂と係合する閂係止溝を有する筒状部とからなり、取付金具は複数段に跨る基部と複数段に応じた締結孔が穿たれた取付座部の全てを一体に形成してなるとともに前記筒状部を挟持する補強片を備えてなること（請求項１１）により、取付金具の補強片によりハンドルケース１の筒状部１３を左右から挟持して筒状部１３を補強するので、筒状部の外壁を削ぎとって肉厚を薄くすることが可能であり、ハンドルケース１の材料費を更に削減することができる。
【００３７】
さらに、操作ハンドルはその後端部に操作用レバーが固定された内筒を備え、取付金具は複数段に跨る基部と複数段に応じた締結孔が穿たれた取付座部の全てを一体に形成してなるとともに前記操作用レバーの投影面内に位置して当該操作用レバーがハンドルケースの面に平行な姿勢から傾くのを阻止するストッパを備えてなること（請求項１２）により、ハンドルケースの筒状部に外力が加えられ、前記筒状部が鍔部から切り離された場合にも操作用レバーが取付金具のストッパにより傾くのを阻止されている一方、取付金具がハンドルロック取付金具（ハンドルケースを外扉に固定するための取付金具）を介して外扉に固着されていることから操作ハンドルを傾けて引き抜こうとしても操作ハンドルが傾くのを阻止することができるので、操作ハンドルが引き抜かれるのを抑制することが可能となる。
【図面の簡単な説明】
【００３８】
【図１】本発明の実施の形態１に係る自動販売機のハンドルロック装置を示し、（ａ）はハンドルロック装置を前方右斜め上方から見た斜視図、（ｂ）はハンドルロック装置のハンドルケースを背面左斜め後方から見た斜視図である。
【図２】図１のハンドルケースから取付金具を分解した分解図である。
【図３】本発明の実施の形態２に係る自動販売機のハンドルロック装置を示し、ハンドルケースから取付金具を分解した分解図である。
【図４】本発明の実施の形態３に係る自動販売機のハンドルロック装置を示し、ハンドルケースから取付金具を分解した分解図である。
【図５】本発明の実施の形態４に係る自動販売機のハンドルロック装置を示し、ハンドルケースから取付金具を分解した分解図である。
【図６】本発明の実施の形態５に係る自動販売機のハンドルロック装置を示し、（ａ）はハンドルケース１から取付金具４Ｄを分解した分解図であり、（ｂ）は取付金具４Ｄの分解図である。
【図７】本発明の実施の形態６に係る自動販売機のハンドルロック装置を示し、ハンドルケースから取付金具を分解した分解図である。
【図８】本発明の実施の形態７に係る自動販売機のハンドルロック装置を示し、（ａ）はハンドルケース１を背面左斜め後方から見た斜視図であり、（ｂ）はハンドルケース１から取付金具４Ｆを分解した分解図である。
【図９】本発明の実施の形態８に係る自動販売機のハンドルロック装置を示し、（ａ）はハンドルケース１を背面左斜め後方から見た斜視図であり、（ｂ）はハンドルケース１から取付金具４Ｇを分解した分解図である。
【図１０】本発明の実施対象である自動販売機の正面図である。
【図１１】従来の自動販売機のハンドルロック装置を示し、（ａ）はハンドルロック装置を前方右斜め上方から見た斜視図、（ｂ）はハンドルケースを前方右斜め上方から見た斜視図、（ｃ）は（ｂ）のハンドルケースを背面左斜め後方から見た斜視図である。
【発明を実施するための形態】
【００３９】
以下、本発明の実施の形態１に係る自動販売機について添付図面を参照して説明する。図１は本発明の実施の形態に係る自動販売機のハンドルロック装置を示し、図において、図１１に示した自動販売機のハンドルロック装置と同一、若しくは同一の機能を有するものには同一の符号を付している。
【００４０】
図１に示すように、この実施の形態に係る自動販売機のハンドルロック装置ＨＬは、外扉に装着されるハンドルケース１と、このハンドルケース１に組み込まれた操作ハンドル２と、この操作ハンドル２の枢軸部に嵌め込み固定されたキーシリンダー３とを備えている。ここで、操作ハンドル２と、この操作ハンドル２の枢軸部に嵌め込み固定されたキーシリンダー３とは従来のものと同一であるのでその説明は割愛する。図１に示すこの実施の形態に係る自動販売機のハンドルロック装置ＨＬが、図１１に示した従来のハンドルロック装置９０と相違する点はハンドルケース１であり、以下、このハンドルケース１について図１、図２を参照しつつ説明する。
【００４１】
図に示すように、ハンドルケース１は、外扉の前面に露出する上下方向に長い略楕円状に形成された鍔部１１と、この鍔部１１から背面側に突出する中空の筒状部１３とを一体に形成した亜鉛ダイカストなどによる鋳物成形品である。前記鍔部１１は従来装置（図１１）と同様に、その表面には操作ハンドル格納用の凹所（窪み）１１１が形成され、当該凹部１１１の内部には、例えば操作ハンドル２の状態を検知するマイクロスイッチなどの検知スイッチ（不図示）の係止孔１１２が設けられている。また、前記筒状部１３の内壁にも従来装置（図１１）と同様に、１８０度間隔で中心線に平行な一対の閂係止溝１３１，１３１が形成されている。なお、筒状部１３の外周壁には後述する取付金具４の係合片４３が進入する係止穴１３２および係合穴１３３が追加装備されている。前記係止穴１３２および係合穴１３３は、図２では筒状部１３の上半円の外周壁に形成されたものが示されているが、筒状部１３の下半円の外周壁にも同様に係止穴１３２および係合穴１３３が形成され、この場合、上半円の外周壁に形成された係止穴１３２および係合穴１３３と、下半円の外周壁に形成された係止穴１３２および係合穴１３３とが１８０度の回転角度で対向するように形成されている。
【００４２】
そして、前記鍔部１１の背面には３個の台座１４が形成され、それぞれの台座１４にはねじ孔１４１がタップされている。また、前記鍔部１１の背面には楕円状の背の低い周壁１５が形成されている。この周壁１５の外周は、従来装置（図１１）の胴部１２の外周に相当するものである。
【００４３】
この実施の形態のハンドルケース１１が、従来装置（図１１参照）のハンドルケース１と相違する点は従来のハンドルケース１の胴部１２が削除されている点であり、前記胴部１２の形成された取付孔１２１を構成するため、ハンドルケース１１とは別部材の取付金具４が設けられている。この取付金具４は、図２に示すように、台座１４にねじ固定される薄板板金製になる。図ではハンドルケース１１の長手方向に沿って上段，中段，下段の３個の取付金具４が示されているが、それぞれの取付金具４の形状は同一であるので、図２おける上段の取付金具４を用いてその構成を説明する。前記取付金具４は台座１４に載置される基部４１と、当該基部４１の左右端部から立ち上がるとともに外方に折り曲げられた左右の取付座部４２，４２およびそれぞれの取付座部４２，４２からから下方に延在する舌片状の係合片４３，４３からなり、全体としてシルクハットの断面形状に折り曲げ形成されている。前記基部４１にはねじ挿通孔４１１が穿孔され、取付座部４２，４２にはそれぞれ締結孔４２１，４２１が穿たれている。この締結孔４２１，４２１は従来装置（図１１）の胴部１２に形成された取付孔１２１に相当するものであり、締結孔４２１，４２１にはハンドルロック装置ＨＬを外扉に固定するためのねじに応じた適正な下穴加工または雌螺子がタップされてねじが螺合するように形成され、かつ、従来装置（図１１）の胴部１２に形成された取付孔１２１の高さ位置と一致するように構成されている。
【００４４】
次に、前記取付金具４のハンドルケース１１への取付けについて説明する。図２における上段の取付金具４をハンドルケース１１に取付けるにあたり、まず、左右の係合片４３，４３を筒状部１３の外周壁に形成された係止穴１３２，係合穴１３３に挿入させた上で基部４１のねじ挿通孔４１１を介してねじＳ１を台座１４のねじ孔１４１に螺合させて固定する（図１の（ｂ）参照）。この場合、筒状部１３の外周壁に形成された係止穴１３２，係合穴１３３に左右の係合片４３，４３が挿入されて係止されるので、取付金具４が位置決めされるとともにねじＳ１を締め付ける際にも取付金具４が回動することがない。
【００４５】
図２における中段の取付金具４のハンドルケース１１への取付けは、上段の取付金具４を時計方向に１８０度回転させたものに相当し、左右の係合片４３，４３を筒状部１３の外周壁に形成された係止穴１３２，係合穴１３３（不図示）に挿入させた上で基部４１のねじ挿通孔４１１を介してねじＳ２を台座１４のねじ孔１４１に螺合させて固定する（図１の（ｂ）参照）。下段の取付金具４は、基部４１のねじ挿通孔４１１を介してねじＳ３を台座１４のねじ孔１４１に螺合させて固定する（図１の（ｂ）参照）。この実施の形態では、上段，中段，下段の取付金具４は同一形状のものを共用しているため、下段の取付金具４は係合片４３，４３によっては位置決めされないが、台座１４の上面にボスを形成するとともに取付金具４の基部４１に前記ボスが嵌合する嵌合穴を形成すること、若しくは台座１４の上面に取付金具４の基部４１を挟む突起を形成することにより位置決めすることができるものである。
【００４６】
前述したように取付金具４が固着されたハンドルケース１にキーシリンダー３が嵌め込み固定された操作ハンドル２を組付けることによりモジュール化されたハンドルロック装置ＨＬは、外扉２０（図１０参照）に開口した周壁１５が貫通可能な取付穴を介して外扉２０の前面側から装着される。外扉２０の背面には、ハンドルケース１の鍔部１１が外扉２０の板面に当接した状態でハンドルケース１に固着された取付金具４の取付座部４２，４２に形成した締結孔４２１，４２１に対峙する位置にそれぞれねじ挿通孔を備えたハンドルロック取付金具が配設されており、このハンドルロック取付金具を介してハンドルケース１がねじにより外扉２０に固着される。
【００４７】
ここで、筒状部１３の外周壁に形成した取付金具４の係合片４３が進入する係合穴１３３は、筒状部１３に形成された閂係止溝１３１の前方域に位置するように定められている。このため、前記係合穴１３３に進入した取付金具４の係合片４３は筒状部１３に形成された閂係止溝１３１の前方域を遮蔽する。すなわち、前記係合穴１３３に進入した取付金具４の係合片４３は、ハンドルケース１１に組み込まれた操作ハンドル２をハンドルケース１１の格納位置に格納した上でキーシリンダー３を施錠することによって操作ハンドル２の軸状部２２から外周方向に突出して閂係止溝１３１に係合した閂の前方域を遮蔽する。そこで、薄板板金からなる前記取付金具４を焼入れして硬度を強化することにより取付金具４の係合片４３が閂保護部として機能する。つまり、ドリルにより閂を破壊しようとしても閂保護部がドリルの侵入を阻止するので、防犯対策を講じることができる。この場合、取付金具４の全体を焼入れしてもよいが、少なくとも係合片４３が焼入れされていればよいものである。また、薄板板金に代えてステンレスにより取付金具４を構成することもできる。
【００４８】
このように、取付金具４として薄板板金製の取付金具や薄板板金を焼入れした取付金具、若しくはステンレス製の取付金具を用意することによって、防犯対策が不要な自動販売機（例えば、屋内設置形）に対しては取付金具を薄板板金製としてコストを抑える一方、防犯対策が必要な自動販売機（例えば、屋外設置形）に対しては取付金具を焼入れしてなる薄板板金、若しくはステンレス製として防犯を強化することができ、さらに、防犯対策が不要な自動販売機（例えば、屋内設置形）に防犯対策が必要となった場合にも取付金具４のみを交換すれば対応することが可能となる。
【００４９】
次に、本発明の実施の形態２に係る自動販売機のハンドルロック装置について図３を参照して説明する。図３は本発明の実施の形態２に係る自動販売機のハンドルロック装置を示し、ハンドルケースから取付金具を分解した分解図であり、図において図２に示したものと同一のものには同一の符号を付して説明を省略する。
【００５０】
図３に示した実施の形態２の自動販売機のハンドルロック装置が実施の形態１の自動販売機のハンドルロック装置と相違する点は取付金具４Ａである。この実施の形態２の取付金具４Ａは実施の形態１の取付金具４（図２）に対して保護片４４，４４が追加装備され、その他の構成は図２に示した取付金具４と同一であるので、ここでは保護片４４，４４について説明する。前記保護片４４，４４は、図３の下段の取付金具４Ａに示すように、取付座部４２，４２の左右側方から前方に折り曲げられた連結辺４４１，４４１と、この連結辺４４１，４４１から先端が内方を向いて互いに対向するように折り曲げられた保護辺４４２，４４２からなる。
【００５１】
前記保護片４４，４４の連結辺４４１，４４１は、ハンドルロック装置ＨＬ（図１参照）を外扉２０の背面に固着する際、取付金具４Ａの取付座部４２，４２に形成した締結孔４２１，４２１に螺合して前方に突き出すねじのねじ部の長さよりも長く形成されている。また、前記保護片４４，４４の保護辺４４２，４４２は取付座部４２に形成された締結孔４２１，４２１の前方域を遮蔽するように形成されている。このように、前記保護片４４，４４の保護辺４４２，４４２は取付座部４２に形成された締結孔４２１，４２１の前方域を遮蔽するので、前記取付座部４２，４２の締結孔４２１，４２１に螺合するねじの前方域が遮蔽される。このため、薄板板金からなる前記取付金具４Ａを焼入れして硬度を強化することにより保護片４４，４４の保護辺４４２，４４２がねじの保護部として機能する。つまり、ドリルによりねじを破壊しようとしても保護辺４４２，４４２がドリルの侵入を阻止するので、防犯対策を講じることができる。この場合、取付金具４Ａの全体を焼入れしてもよいが、少なくとも保護片４４，４４が焼入れされていればよいものである。また、薄板板金に代えてステンレスにより取付金具４Ａを構成することもできる。
【００５２】
次に、本発明の実施の形態３に係る自動販売機のハンドルロック装置について図４を参照して説明する。図４は本発明の実施の形態３に係る自動販売機のハンドルロック装置を示し、ハンドルケースから取付金具を分解した分解図であり、図において図２に示したものと同一のものには同一の符号を付して説明を省略する。
【００５３】
図４に示した実施の形態３の自動販売機のハンドルロック装置が実施の形態１の自動販売機のハンドルロック装置と相違する点は取付金具４Ｂである。この実施の形態３の取付金具４Ｂは、実施の形態１（図２）の取付金具４が全体としてシルクハットの断面形状に折り曲げ形成されているのに対して全体として凹状であって基部４１Ｂが左右方向に長く形成されるとともに、凹状の両脚辺の先端から内方に向って互いに対向する態様で取付座部４２が形成されている点である。
【００５４】
このように、基部４１Ｂを左右方向に長く形成するとともに、凹状の両脚辺の先端から内方に向って互いに対向する態様で取付座部４２を形成したことにより、前記取付金具４Ｂの基部４１Ｂは取付座部４２に形成した締結孔４２１，４２１の前方域を遮蔽する。したがって、前記取付座部４２，４２の締結孔４２１，４２１に螺合するねじの前方域が基部４１Ｂにより遮蔽される。このため、薄板板金からなる前記取付金具４Ｂを焼入れして硬度を強化することにより基部４１Ｂがねじの保護部として機能する。つまり、ドリルによりねじを破壊しようとしても基部４１Ｂがドリルの侵入を阻止するので、防犯対策を講じることができる。この場合、焼入れされた薄板板金に代えてステンレスにより取付金具４Ｂを構成することもできる。
【００５５】
次に、本発明の実施の形態４に係る自動販売機のハンドルロック装置について図５を参照して説明する。図５は本発明の実施の形態４に係る自動販売機のハンドルロック装置を示し、ハンドルケースから取付金具を分解した分解図であり、図において図２に示したものと同一のものには同一の符号を付して説明を省略する。
【００５６】
図５に示した実施の形態４の自動販売機のハンドルロック装置が実施の形態１の自動販売機のハンドルロック装置と相違する点は取付金具４Ｃである。この取付金具４Ｃは、実施の形態１の中段，下段の取付金具４を一体化したものであり、全体として凹状であって基部４１Ｃが中段，下段の取付箇所に跨るように広く形成されるとともに、凹状の両脚辺の先端から内方に向って互いに対向する態様で取付座部４２Ｃ，４２Ｃが形成され、当該取付座部４２Ｃ，４２２Ｃ中段，下段に対応する締結孔４２１・・・が形成されている点である。
【００５７】
このように、基部４１Ｃを中段，下段の取付箇所に跨るように広く形成するとともに凹状の両脚辺の先端から内方に向って互いに対向する態様で取付座部４２Ｃ，４２Ｃを形成したことにより、前記取付金具４Ｃの基部４１Ｃは取付座部４２Ｃ，４２Ｃに形成した締結孔４２２Ａ・・・の前方域を遮蔽する。したがって、前記取付座部４２２，４２２の締結孔４２１・・・に螺合するねじの前方域が基部４１Ｃにより遮蔽される。このため、薄板板金からなる前記取付金具４Ｃを焼入れして硬度を強化することにより基部４１Ｃがねじの保護部として機能する。つまり、ドリルによりねじを破壊しようとしても基部４１Ｃがドリルの侵入を阻止するので、防犯対策を講じることができる。さらに、基部４１Ｃが中段，下段の取付箇所に跨るように広く形成されていることにより、締結孔４２１・・・に螺合するねじの前方域に加えて広範囲に亘りドリルの侵入を阻止することができるので、不測の事態、例えば、ドリルが斜めに侵入されてねじが破壊されるような事態を防止することができる。なお、取付金具４Ｃは焼入れされた薄板板金に代えてステンレスにより取付金具４Ｃを構成することもできる。
【００５８】
次に、本発明の実施の形態５に係る自動販売機のハンドルロック装置について図６を参照して説明する。図６は本発明の実施の形態５に係る自動販売機のハンドルロック装置を示し、（ａ）はハンドルケースから取付金具を分解した分解図であり、（ｂ）は取付金具の分解図である。図６において図２に示したものと同一のものには同一の符号を付して説明を省略する。
【００５９】
図６に示した実施の形態５の自動販売機のハンドルロック装置が実施の形態１の自動販売機のハンドルロック装置と相違する点は取付金具４Ｄである。この取付金具４Ｄは、図６の（ｂ）に示すように、実施の形態１の上段，中段，下段の取付金具４を一体化するとともに左右に分割した分割金具４Ｄ１，４Ｄ２からなる。各分割金具４Ｄ１，４Ｄ２は互いに重なり合う基部４１Ｄ１，４１Ｄ２の左右端部から立上がる連結部４５，４６により上段，中段，下段の取付座部４２が連結されている。前記分割金具４Ｄ１，４Ｄ２の基部４１Ｄ１，４１Ｄ２は、図６の（ａ）に示すように重ね合わせた場合にハンドルケース１の筒状部１３を除く背面を覆うように形成されている。つまり、前記基部４１Ｄ１，４１Ｄ２は、筒状部１３を挿通させるために筒状部１３よりも大きく欠いて形成されている。また、前記基部４１Ｄ１，４１Ｄ２には、ハンドルケース１の台座１４に形成したねじ孔１４１に対応する箇所にねじ挿通孔４１１，４１１が穿孔されている（図では基部４１Ｄ２に穿孔したねじ挿通孔４１１のみが見えており、基部４１Ｄ１に穿孔したねじ挿通孔４１１は取付座部４２に隠れている）。これらのねじ挿通孔４１１は、図６の（ａ）に示すように、前記基部４１Ｄ１，４１Ｄ２を互いに重ね合わせた際に上下に対峙するように形成されている。
【００６０】
前記取付金具４Ｄのハンドルケース１への取付けは次のとおりである。まず、分割金具４Ｄ１を、図６の（ａ）に示すハンドルケース１の左辺側から組付け、中段の取付座部４２に形成した閂保護片４３の先端を筒状部１３の係合穴１３３に対峙させた上で分割金具４Ｄ１を上方にスライド移動させて前記閂保護片４３を係合穴１３３に差し込む。この場合、前記閂保護片４３を筒状部１３の係合穴１３３に対峙させた上で分割金具４Ｄ１を上方にスライド移動させることができるように、分割金具４Ｄ１の基部４１Ｄ１には分割金具４Ｄ１を筒状部１３よりも大きな切欠きが形成されているものである。このように分割金具４Ｄ１をハンドルケース１に組付けた後、分割金具４Ｄ２をハンドルケース１に組付ける。この分割金具４Ｄ２の組付けは上段の取付座部４２に形成した閂保護片４３の先端を筒状部１３の係合穴１３３に対峙させた上で分割金具４Ｄ２を下方にスライド移動させて前記閂保護片４３を係合穴１３３に差し込むことにより行われる。この場合、分割金具４Ｄ２の基部４１Ｄ２が分割金具４Ｄ１の基部４１Ｄ１の上に重なり合い、それぞれの基部４１Ｄ１，４１Ｄ２に形成したねじ挿通孔４１１，４１１が上下に重なり合っている。このように重なり合った基部４１Ｄ１，４１Ｄ２のねじ挿通孔４１１，４１１を介してねじＳ１，Ｓ２，Ｓ３を台座１４のねじ孔１４１に螺合させて固定する。
【００６１】
この実施の形態の取付金具４Ｄは，上段，中段，下段の取付金具４を一体化するとともに左右に分割した分割金具４Ｄ１，４Ｄ２からなり、各分割金具４Ｄ１，４Ｄ２の基部４１Ｄ１，４１Ｄ２を互いに重ね合わせることにより、ハンドルケース１の殆どの背面を基部４１Ｄ１，４１Ｄ２により覆うことができる。したがって、分割金具４Ｄ１，４Ｄ２を薄板板金により形成した場合には焼入れすることによってドリルの侵入を防止することが可能となる。この場合、分割金具４Ｄ１，４Ｄ２をステンレス製とすることにより同様の効果を得ることができるものである。
【００６２】
次に、本発明の実施の形態６に係る自動販売機のハンドルロック装置について図７を参照して説明する。図７は本発明の実施の形態６に係る自動販売機のハンドルロック装置を示し、ハンドルケースから取付金具を分解した分解図である。図において図２に示したものと同一のものには同一の符号を付して説明を省略する。なお、この実施の形態の自動販売機のハンドルロック装置は防犯対策の必要のない場所に設置（例えば、屋内設置形）されるものを対象とし、取付金具も薄板板金製になるものである。
【００６３】
図７に示した実施の形態６の自動販売機のハンドルロック装置が実施の形態１の自動販売機のハンドルロック装置と相違する点は取付金具４Ｅである。この取付金具４Ｅは、実施の形態１の上段，中段，下段の取付金具４を連結部材４７，４８により連結して一体化したものに相当する。ここで、上段，中段，下段の基部４１・・には、図２に示した基部４１と同様に、ねじ挿通孔４１１・・を備えるものであるが、図では上段，中段，下段の左右の取付座部４２・・のうちの左側の取付座部４２・・に隠れてみえない。
【００６４】
前記取付金具４Ｅのハンドルケース１への取付けは、ハンドルケース１の背面から取付金具４Ｅが組付けられる。この場合、取付金具４Ｅの上段の基部４１と中段の基部４１との間に形成された開口部に筒状部１３を挿通させる。そして、各基部４１をハンドルケース１の台座１４・・に当接させた上で基部４１・・のねじ挿通孔４１１（不図示）を介してねじＳ１，Ｓ２，Ｓ３を台座１４のねじ孔１４１に螺合させて固定する。
【００６５】
次に、本発明の実施の形態７に係る自動販売機のハンドルロック装置について図８を参照して説明する。図８は本発明の実施の形態７に係る自動販売機のハンドルロック装置を示し、（ａ）はハンドルケース１を背面左斜め後方から見た斜視図であり、（ｂ）はハンドルケースから取付金具を分解した分解図である。図において図２に示したものと同一、若しくは同一の機能を有するものには同一の符号を付して説明を省略する。なお、この実施の形態の自動販売機のハンドルロック装置は防犯対策の必要のない場所に設置されるもの（例えば、屋内設置形）を対象とし、取付金具も薄板板金製になるものである。
【００６６】
図８に示した実施の形態７の自動販売機のハンドルロック装置が実施の形態１の自動販売機のハンドルロック装置と相違する点は主に取付金具４Ｆである。また、図８には前述した各実施の形態では図示を割愛した操作ハンドル２の回転範囲（回転角度）を規制する回転規制円板５および外扉２０に設けられたスライダを操作する操作用レバー６を図示（操作用レバー６については図８の（ｂ）のみに示す）しているが、これらについては取付金具４Ｆに引き続いて説明する。
【００６７】
前記取付金具４Ｆは、実施の形態６の自動販売機のハンドルロック装置（図７）の取付金具４Ｅに相似しており、前記取付金具４Ｅと同様に、上段，中段，下段の取付金具４を連結部材４７Ｆ，４８Ｆにより連結して一体化したものに相当する。この取付金具４Ｆは、基部４１Ｆが上段，中段，下段の取付箇所に跨るように広く形成されるとともに、上段と中段の取付箇所との間にハンドルケース１の筒状部１３を挿通可能な挿通穴４１０が形成され、上段，中段，下段に対応する締結孔４２１・・・が形成された取付座部４２Ｆ，４２Ｆが連結部材４７Ｆ，４８Ｆの後縁から内方に向って互いに対向する態様で形成されている。また、取付金具４Ｆの連結部材４７Ｆ，４８Ｆには、ハンドルケース１の筒状部１３を挟持するように後方に向って延在するストッパ４７Ｆ１，４８Ｆ１が形成されている。このストッパ４７Ｆ１，４８Ｆ１が請求項１１の補強片を構成する。前記ストッパ４７Ｆ１，４８Ｆ１は、取付金具４Ｆをハンドルケース１に装着した際、筒状部１３の後端縁部よりも後方に位置するように定められている。なお、この実施の形態ではハンドルケース１の筒状部１３の左右外壁を削ぎとって肉厚を薄くするとともに台座１４も円柱形状とすることによりハンドルケースの材料費の更なる削減を図っている。
【００６８】
さて、図における２３Ａ，２３Ａおよび２３Ｂ，２３Ｂは図１に示した操作ハンドル２の回転操作に伴って回転する内筒２３の後端部に形成された矩形突起および中空周壁に雌ねじがタップされたボス状のねじ座であり、この矩形突起２３Ａ，２３Ａおよびねじ座２３Ｂ，２３Ｂを介して前記回転規制円板５および操作用レバー６が内筒２３に次のように連結される。すなわち、前記回転規制円板５および操作用レバー６の基端部６１には、前記前記矩形突起２３Ａ，２３Ａおよびねじ座２３Ｂ，２３Ｂに対応する角穴５２，５２、６２，６２と円形穴５３，５３、６３，６３がそれぞれ形成されており、それぞれの角穴５２，５２、６２，６２および円形穴５３，５３、６３，６３を矩形突起２３Ａ，２３Ａおよびねじ座２３Ｂ，２３Ｂに嵌合させる態様で内筒２３の後端部に回転規制円板５，操作用レバー６の順に組付けたうえでねじＳ４，Ｓ５により共締めされて前記回転規制円板５および操作用レバー６が内筒２３に連結される。
【００６９】
ここで、回転規制円板５はその周縁から外周方向（径外方向）に突出するカム５１，５１を備えている。前記回転規制円板５はハンドルケース１の筒状部１３の径に略一致する大きさに形成される一方、前記カム５１，５１は前記筒状部１３の径より大きく形成されており、前記カム５１，５１が前記取付金具４Ｆのストッパ４７Ｆ１，４８Ｆ１の側縁に当接するように構成されている。また、前記操作用レバー６は基端部６１と当該基端部６１から径外方向に延在するレバー片６１０を備えている。この操作用レバー６の基端部６１の径は前記取付金具４Ｆに形成されたハンドルケース１の筒状部１３を挟持する態様のストッパ４７Ｆ１，４８Ｆ１の間の寸法よりも大きく形成されている。言い換えれば、前記ストッパ４７Ｆ１，４８Ｆ１が操作用レバー６の基端部６１の投影面内に位置して操作用レバー６の基端部６１がストッパ４７Ｆ１，４８Ｆ１に載置されるように構成されている。なお、図８の（ａ）では操作用レバー６を省略しており、操作用レバー６がある場合には操作用レバー６に隠れて見えない取付金具４Ｆのストッパ４７Ｆ１，４８Ｆ１などが見えるようにしている。
【００７０】
この実施の形態７における自動販売機のハンドルロック装置の組立ては次のとおりである。先ず、ハンドルケース１の背後から取付金具４Ｆを装着する。この場合、取付金具４Ｆの挿通穴４１０をハンドルケース１の筒状部１３に嵌め込んだうえで取付金具４Ｆの基部４１Ｆをハンドルケース１の台座１４，１４，１４に載置した後、ねじ挿通孔４１１，４１１，４１１を介してねじＳ１，Ｓ２，Ｓ３を台座１４のねじ孔１４１に螺着して固定する。この状態で取付金具４Ｆのストッパ４７Ｆ１，４８Ｆ１がハンドルケース１の筒状部１３を両側から挟持して補強することとなる。次いで、図１に示すキーシリンダー３が嵌め込み固定された操作ハンドル２をハンドルケース１に組付ける。この場合、操作ハンドル２の軸状部２２が嵌め込まれた内筒２３をハンドルケース１の前方から筒状部１３の中空部に挿入した後、筒状部１３を貫通した内筒２３の後端部に回転規制円板５、操作用レバー６を重ねてねじＳ４，Ｓ５によって取付ける。これにより回転規制円板５が筒状部１３の後端に載置されるとともに操作用レバー６の基端部６１が取付金具４Ｆのストッパ４７Ｆ１，４８Ｆ１の後端に載置される態様で取付金具４Ｆのストッパ４７Ｆ１，４８Ｆ１により操作用レバー６の姿勢がハンドルケース１の面に平行な姿勢に維持される、言い換えれば、操作用レバー６の姿勢がハンドルケース１の面に平行な姿勢から傾くのをストッパ４７Ｆ１，４８Ｆ１により規制される。
【００７１】
この実施の形態７の自動販売機のハンドルロック装置によれば、締結孔４２１が穿たれた取付金具４Ｆをハンドルケース１とは別個に設け、当該取付金具４Ｆをハンドルケース１に固着したことにより、ハンドルケース１に取付孔１２１を形成するためにハンドルケース１にダイカストにより一体に形成されていた胴部１２（図１１参照）を削除することができるので、ハンドルケース１の材料費を削減することができる。そのうえ、取付金具４Ｆのストッパ４７Ｆ１，４８Ｆ１によりハンドルケース１の筒状部１３を左右から挟持して筒状部１３を補強するように構成されているので、筒状部１３の外壁を削ぎとって肉厚を薄くすることが可能であり、ハンドルケース１の材料費を更に削減することができる。
【００７２】
また、ハンドルケース１の筒状部１３に外力（例えば、ハンドルケース１の前方から操作ハンドル２の内筒２３とハンドルケース１の筒状部１３の間に工具を侵入されて抉られた場合）が加わるとハンドルケース１の鍔部１１と筒状部１３の連結部に亀裂が生じて筒状部１３がハンドルケース１の鍔部１１から切り離されてしまうおそれがある。このように、筒状部１３が鍔部１１から切り離された場合にも操作用レバー６のレバー片６１０が外扉２０の背面に引っ掛かるので、操作ハンドル２が直ちに引き出されることはない。しかしながら、レバー片６１０の延在方向とは反対側には外扉２０への引っ掛かり部材がないことから操作ハンドル２を傾けながら引っ張ると操作用レバー６の姿勢が外扉２０の板面に平行な姿勢から直角の姿勢に変位するように傾いて外扉２０に開口した取付穴を通して抜け出してしまうことは否めない。かかる点、この実施の形態７の自動販売機のハンドルロック装置においては、操作用レバー６が取付金具４Ｆのストッパ４７Ｆ１，４８Ｆ１に載置される態様でハンドルケース１に平行な姿勢に維持される一方、当該取付金具４Ｆはハンドルロック取付金具（ハンドルケース１を外扉２０に固定するための取付金具）を介して外扉２０に固着されていることによって、操作ハンドル２を傾けようとしても操作用レバー６がストッパ４７Ｆ１，４８Ｆ１によりハンドルケース１に平行な姿勢から傾くのを阻止されることから傾むけることができず、操作ハンドル２が引き抜かれるのを抑制することが可能となる。
【００７３】
次に、本発明の実施の形態８に係る自動販売機のハンドルロック装置について図９を参照して説明する。図９は本発明の実施の形態８に係る自動販売機のハンドルロック装置を示し、（ａ）はハンドルケース１を背面左斜め後方から見た斜視図であり、（ｂ）はハンドルケース１から取付金具４Ｇを分解した分解図である。図において図８に示した実施の形態８に係る自動販売機のハンドルロック装置と同一、若しくは同一の機能を有するものには同一の符号を付して説明を省略する。なお、この実施の形態の自動販売機のハンドルロック装置は防犯対策の必要のない場所に設置されるもの（例えば、屋内設置形）を対象とし、取付金具も薄板板金製になるものである。
【００７４】
図９に示した実施の形態８の自動販売機のハンドルロック装置が実施の形態７の自動販売機のハンドルロック装置と相違する点は取付金具４Ｇであり、その他の構成は実施の形態７の自動販売機のハンドルロック装置と同一であるので、ここでは取付金具４Ｇについて説明する。
【００７５】
前記取付金具４Ｇは、実施の形態７の自動販売機のハンドルロック装置（図８）の取付金具４Ｆを左右に分割したものに相当する。すなわち、前記取付金具４Ｇは、左右に分割された分割金具４Ｇ１，４Ｇ２からなる。前記分割金具４Ｇ１，４Ｇ２の基部４１Ｇ１，４１Ｇ２には互いに重ね合わせた場合に連通するねじ挿通孔４１１，４１１がそれぞれ穿孔されている。なお、上段，中段，下段の締結孔４２１・・・が形成された取付座部４２Ｇ１，４２Ｇ２が連結部材４７Ｇ，４８Ｇにより連結され、前記連結部材４７Ｇ，４８Ｇにハンドルケース１の筒状部１３を挟持するように後方に向って延在するストッパ４７Ｇ１，４８Ｇ１が形成されるとともに前記ストッパ４７Ｇ１，４８Ｇ１は、取付金具４Ｇをハンドルケース１に装着した際、筒状部１３の後端縁部よりも後方に位置するように定められている点、並びにストッパ４７Ｇ１，４８Ｇ１が筒状部１３の補強片を構成する点は実施の形態７の取付金具４Ｆと同一であり、また、ハンドルケース１の筒状部１３の左右外壁を削ぎとって肉厚を薄くするとともに台座１４も円柱形状とすることによりハンドルケースの材料費の更なる削減が図られている。
【００７６】
前記取付金具４Ｇのハンドルケース１への取付けは次のとおりである。まず、分割金具４Ｇ１をハンドルケース１の左辺側から、その基部４１Ｇ１をハンドルケース１の台座１４に載置するように組付ける。この場合、連結部材４７Ｇに形成したストッパ４７Ｇ１をハンドルケース１の筒状部１３の左側外壁に当接させた状態で基部４１Ｇ１をハンドルケース１の台座１４に載置すると基部４１Ｇ１に形成したねじ挿通孔４１１・・が台座１４・・のねじ孔１４１・・に連通するようになる。このように分割金具４Ｇ１をハンドルケース１に組付けた後、分割金具４Ｇ２をハンドルケース１に組付ける。この分割金具４Ｇ２の組付けも、連結部材４８Ｇに形成したストッパ４８Ｇ１をハンドルケース１の筒状部１３の右側外壁に当接させた状態で基部４１Ｇ２をハンドルケース１の台座１４に載置する。そうすると、分割金具４Ｇ２の基部４１Ｇ２が分割金具４Ｇ１の基部４１Ｇ１の上に重なり合うので、基部４１Ｇ２に形成したねじ挿通孔４１１・・を基部４１Ｇ１に形成したねじ挿通孔４１１・・に連通させる。このように重なり合った基部４１Ｇ１，４１Ｇ２のねじ挿通孔４１１・・を介してねじＳ１，Ｓ２，Ｓ３を台座１４のねじ孔１４１に螺合させて固定する。この状態で取付金具４Ｇのストッパ４７Ｇ１，４８Ｇ１がハンドルケース１の筒状部１３を両側から挟持することとなる。次いで、実施の形態７と同様に、図１に示すキーシリンダー３が嵌め込み固定された操作ハンドル２をハンドルケース１に組付けた後、操作ハンドル２の軸状部２２が嵌め込まれた内筒２３後端部に回転規制円板５、操作用レバー６をねじＳ４，Ｓ５によって取付ける。
【００７７】
この実施の形態８の自動販売機のハンドルロック装置も実施の形態７の自動販売機のハンドルロック装置と同様に、締結孔４２１が穿たれた取付金具４Ｇをハンドルケース１とは別個に設け、当該取付金具４Ｇをハンドルケース１に固着したことにより、ハンドルケース１に取付孔１２１を形成するためにハンドルケース１にダイカストにより一体に形成されていた胴部１２（図１１参照）を削除することができるので、ハンドルケース１の材料費を削減することができる。そのうえ、取付金具４Ｇのストッパ４７Ｇ１，４８Ｇ１によりハンドルケース１の筒状部１３を左右から挟持して筒状部１３を補強するように構成されているので、筒状部１３の外壁を削ぎとって肉厚を薄くすることが可能であり、ハンドルケース１の材料費を更に削減することができる。
【００７８】
また、ハンドルケース１の筒状部１３に外力が加えられて、前記筒状部１３が鍔部１１から切り離された場合にも操作用レバー６が取付金具４Ｇのストッパ４７Ｇ１，４８Ｇ１に載置される態様でハンドルケース１に平行な姿勢に維持される一方、当該取付金具４Ｇはハンドルロック取付金具（ハンドルケース１を外扉２０に固定するための取付金具）を介して外扉２０に固着されていることによって、操作ハンドル２を傾けようとしても操作用レバー６がストッパ４７Ｇ１，４８Ｇ１によりハンドルケース１に平行な姿勢から傾くのを阻止されることから操作ハンドル２を傾むけることができないので、操作ハンドル２が引き抜かれるのを抑制することが可能となる。
【００７９】
なお、前述した実施の形態においては、ハンドルロック装置ＨＬのハンドルケース１を亜鉛ダイカストなどによる鋳物成形品として説明したが、これに限られるものではない。例えば、ハンドルケースの鍔部および筒状部を板金によりプレス成形するとともに両者を溶接してハンドルケースを構成することもできるものであり、実施の形態によりハンドルケースの材料が限定されるものではない。また、ハンドルケース１の筒状部１３の内壁に形成した閂係止溝１３１，１３１が左右に配置されているものについて説明したが、前記閂係止溝１３１，１３１が筒状部１３の内壁の上下に配置されたものにも本発明を適用することができるものであり、実施の形態の構造に限定されるものではない。
【００８０】
前述したように本発明の実施の形態に係る自動販売機のハンドルロック装置ＨＬによれば、外扉２０に装着され、かつ、背面側に外扉２０にねじ固定する楕円形状のハンドルケース１、このハンドルケース１に組み込まれ、かつ、前記ハンドルケース１に格納された格納位置と前記ハンドルケース１から突出した突出位置との間を移動可能な操作ハンドル２、および前記操作ハンドル２の枢軸部に嵌め込み固定されたキーシリンダー３とからなる自動販売機のハンドルロック装置ＨＬであって、前記操作ハンドル２はキーシリンダー３が嵌め込み固定された軸状部に外周方向に出没可能な閂を有し、キーシリンダー３の施錠により前記閂が突出してハンドルケース１の格納位置に拘束保持される一方、キーシリンダー３の解錠により前記閂が没入してハンドルケース１の格納位置への拘束が解除されて突出位置に突出するようにした自動販売機のハンドルロック装置ＨＬにおいて、締結孔４２１が穿たれた取付金具４〜４Ｅをハンドルケース１とは別個に設け、当該取付金具４〜４Ｅをハンドルケースに固着したことにより、ハンドルケース１に取付孔１２１を形成するためにハンドルケース１にダイカストにより一体に形成されていた胴部１２を削除することができるので、ハンドルケース１の材料費を削減することができる。そのうえ、深い取付孔１２１をタップする手間を無くすことができるので、ハンドルロック装置ＨＬのコストを大幅に低減することが可能となる。
【００８１】
また、本発明の実施の形態に係る自動販売機のハンドルロック装置ＨＬによれば、ハンドルケース１は外扉２０の表面に露出する鍔部１１と、この鍔部１１から背面側に突出するとともに中空の内壁に操作ハンドル２の閂と係合する閂係止溝１３１を有する筒状部１３とからなり、取付金具４にはハンドルケース１の筒状部１３における閂係止溝１３１の前方域の外周面に係合する舌片状の係合片４３が追加装備されてなることにより、前記筒状部１３を外力から保護することができる。すなわち、前記筒状部に外力（例えば、ハンドルケース１の前方から操作ハンドル２の内筒２３とハンドルケース１の筒状部１３の間に工具を侵入されて抉られた場合）が加えられた場合、前記筒状部１３がぐらついて筒状部１３とハンドルケース１の鍔部１１との連接部に亀裂が生じて筒状部１３がハンドルケース１から切り離されるおそれがあるが、本発明においては前記筒状部１３の外周壁に取付金具４における係合片４３が係合しており、前記取付金具４が外扉２０にハンドルロック取付金具を介して連結されていることから、筒状部１３がぐらつくことを抑制し、筒状部１３がハンドルケース１から切り離されるのを防止することができる。したがって、ハンドルロック装置の防犯対策をより一層強固なものとすることができるという利点を有する。
【００８２】
さらに、操作ハンドル２はその後端部に操作用レバー６が固定された内筒２３を備え、取付金具４Ｆ、４Ｇは複数段に跨る基部４１Ｆ、４１Ｇ１，４１Ｇ２と複数段に応じた締結孔４２１・・が穿たれた取付座部４１Ｆ、４２Ｇの全てを一体に形成してなるとともに前記操作用レバー６の投影面内に位置して当該操作用レバー６がハンドルケース１の面に平行な姿勢から傾くのを阻止するストッパ４７Ｆ１，４８Ｆ１，４７Ｇ１，４８Ｇ１を備えてなることにより、ハンドルケース１の筒状部に外力が加えられ、前記筒状部１３が鍔部１１から切り離された場合にも操作用レバー６が取付金具４Ｆ、４Ｇのストッパ４７Ｆ１，４８Ｆ１，４７Ｇ１，４８Ｇ１により傾くのを阻止されている一方、取付金具４Ｆ、４Ｇがハンドルロック取付金具（ハンドルケース１を外扉に２０固定するための取付金具）を介して外扉２０に固着されていることから操作ハンドル２を傾けて引き抜こうとしても操作ハンドル２が傾くのを阻止することができるので、操作ハンドル２が引き抜かれるのを抑制することが可能となるという利点を有する。
【符号の説明】
【００８３】
１，１…ハンドルケース、２…操作ハンドル、３…キーシリンダー、４，４Ａ，４Ｂ，４Ｃ，４Ｄ，４Ｅ，４Ｆ，４Ｇ…取付金具、１０…本体キャビネット、１１…鍔部、１３…筒状部、１４…台座、１５…周壁、２０…外扉、２１…操作レバー、２２…軸状部、４１，４１Ｃ，４１Ｄ１，４１Ｄ２…基部、４２…取付座部、４３…係合片（閂保護片）、４７，４８，４７Ｆ，４８Ｆ，４７Ｇ，４８Ｇ…連結部材、４７Ｆ１，４８Ｆ１，４７Ｇ１，４８Ｇ１…ストッパ（補強片）、１３１…閂係止溝、１３２…係止穴、１３３…係合穴、４２１…締結孔。
【図１】
0006015098.tif 000002
【図２】
0006015098.tif 000003
【図３】
0006015098.tif 000004
【図４】
0006015098.tif 000005
【図５】
0006015098.tif 000006
【図６】
0006015098.tif 000007
【図７】
0006015098.tif 000008
【図８】
0006015098.tif 000009
【図９】
0006015098.tif 000010
【図１０】
0006015098.tif 000011
【図１１】
0006015098.tif 000012